(57)【特許請求の範囲】
【請求項１】
ブラシを保持する金属製の枠体を該ブラシの先端が整流子に対向するように合成樹脂製のエンドブラケットに固定したモータのブラシホルダーにおいて、
前記枠体は、その両側面の前記整流子と反対側の一端からモータの回転軸の周方向に延びて前記整流子側に折り曲げ可能な一対の爪と、前記枠体の側面から前記回転軸の軸方向に延びる凸部とを有し、且つ前記エンドブラケットは、前記枠体の両側面を保持する一対の保持壁と、前記保持壁の前記ブラシと反対側の側面に設けられ前記爪を折り曲げるときに該爪を案内する溝部と、前記凸部をはめ込む凹部とを有し、前記爪を前記溝部に沿って折り曲げることにより前記保持壁を抱え込むように固定することを特徴とするブラシホルダー。
【請求項２】
前記爪を折り曲げるときに前記溝部の一部に食い込むように前記爪に前記回転軸の軸方向に突出する突起を設けたことを特徴とする請求項１記載のブラシホルダー。
【発明の詳細な説明】
【０００１】
【発明の属する技術分野】
本発明は、エンドブラケットの樹脂成形部に金属製の枠体を確実に固定することが可能なブラシホルダーに関する。
【０００２】
【従来の技術】
合成樹脂製のエンドブラケットに一体成形されたブラシホルダーにおいては、モータから発生する熱により合成樹脂製のブラシホルダーが熱変形してしまうという問題を有する。そこで、ブラシを保持する耐熱性である金属製の枠体をエンドブラケットに固定して使用するブラシホルダーが知られる。
金属製の枠体を固定する方法としては、例えば、エンドブラケットと枠体とをネジ止めする方法や、枠体にかしめ爪を設け、このかしめ爪に適合するかしめ穴をエンドブラケットに設け、このかしめ穴にかしめ爪を挿入してかしめて固定する方法等が知られる。
【０００３】
【発明が解決しようとする課題】
しかしながら上記した固定方法では、ネジ穴やかしめ穴を合成樹脂製のエンドブラケットに貫通させる必要が生じる。特に水密性および小型化を要求される合成樹脂材料と金属板とを一体成形したエンドブラケットを用いるタイプのモータにおいては、この貫通した穴から水等が漏洩してしまうという問題を有する。
また、貫通した穴を設けずに合成樹脂製のエンドブラケットにタップを設けてネジ止めする場合では、樹脂成形部分におけるブラシホルダーの取付強度が低下してしまうという問題を有する。
【０００４】
本発明は、上記した問題点に鑑みてなされたものであり、簡単な構成により確実に金属製の枠体をエンドブラケットの合成樹脂部に固定することが可能なブラシホルダーを提供することを課題とする。
【０００５】
【課題を解決するための手段】
上記課題を解決するため、本発明は、ブラシを保持する金属製の枠体を該ブラシの先端が整流子に対向するように合成樹脂製のエンドブラケットに固定したモータのブラシホルダーにおいて、前記枠体は、その両側面の前記整流子と反対側の一端からモータの回転軸の周方向に延びて前記整流子側に折り曲げ可能な一対の爪と、前記枠体の側面から前記回転軸の軸方向に延びる凸部とを有し、且つ前記エンドブラケットは、前記枠体の両側面を保持する一対の保持壁と、前記保持壁の前記ブラシと反対側の側面に設けられ前記爪を折り曲げるときに該爪を案内する溝部と、前記凸部をはめ込む凹部とを有し、前記爪を前記溝部に沿って折り曲げることにより前記保持壁を抱え込むように固定することを特徴とする。
【０００７】
更に、前記爪を折り曲げるときに前記溝部の一部に食い込むように前記爪に前記回転軸の軸方向に突出する突起を設けたことを特徴とする。
【０００８】
このような構成において、金属製の枠体をエンドブラケットの保持壁に沿って移動させ、ブラシホルダーの側面からモータの回転軸の軸方向に延びる凸部を合成樹脂製のエンドブラケットに設けた凹部にはめ込む。この動作により枠体がエンドブラケットに固定される位置に位置する。
次いで、枠体の側面の端部から回転軸の周方向に延びる爪を保持壁に設けた溝部に沿って折り曲げ、爪を保持壁に抱え込ませて固定する。このとき爪に設けた回転軸の軸方向に突出する突起が溝部の一部に食い込み、枠体が確実にエンドブラケットに固定される。
【０００９】
【発明の実施の形態】
この発明の好適な実施例を図面に基づいて説明する。
図１は、本発明によるブラシホルダー１の平面図を示し、具体的には、合成樹脂材料により成形されたブラケット２に設けた保持壁に金属製の枠体３を固定した状態のブラシホルダー１を示す。図２には図１のブラシホルダー１の側面図を示す。
ブラシホルダー１は、エンドブラケット２の樹脂材料の部分に金属製の枠体３を固定したものであり、エンドブラケット２は金属板４と合成樹脂材料５とにより一体成形成形されている。
符号６は不図示のピックテールの移動を規制するピンであり、符号７は電極を示す。また、符号８は軸穴を示しており、その近傍に設けた外周面９にベアリング等を介してモータの回転軸を軸支している。
【００１０】
枠体３について図３乃至５図に基づき詳細に説明する。
図３は、枠体の正面図を示し、図４は、枠体の平面図を示し、図５は枠体の側面図を示す。枠体３は、モータの回転軸に設けた整流子に向かう面を開放しており、また、底面はエンドブラケット２により形成した面がブラシに当接するために開放されている。従ってブラシは枠体３の側面１０および上面１１によってブラシを囲むような形状をしており、後述する爪を設けた側面１０と、ブラシに接続されたピックテールを枠体内で移動可能とさせるための切り欠き１３を有する上面１１と、上面１１の一部を折り曲げて形成した前面１３とを有する。前面１３とブラシとの間にスプリングを介してブラシの先端を整流子に接触させる。
【００１１】
枠体３は、側面１０の一端を延長させ、ほぼ直角に折り曲げられた一対の爪１４を有しており、枠体３を後述するエンドブラケット２の保持壁の間に挿入したときにモータの回転軸の周方向に向かって延びるように折り曲げ可能に設けられている。好ましくは、爪の先端側近傍には後述する溝部の一部に食い込みながら枠体３とエンドブラケット２とを確実に固定する少なくとも一つ以上の突起１５が設けられている。また、側面１０にはエンドブラケット２への取り付け時に回転軸の軸方向に向かって延びる凸部１７が設けられており、後述するエンドブラケットの内面に設けた凹部に挿入される。
【００１２】
上記した枠体の例では、枠体３の形状を上面１１および側面１０の３方向からブラシを保持させているが、上述した前面１１を更に延長させ、前面１１の一部を更に軸芯方向に折り曲げて底面を形成しても良い。
突起１５は、図３で見て上方向に向かって突出しているが下方に向かって突出させても良く、また、上下両方向に向かって突出するように設けても良い。
【００１３】
エンドブラケット２について図６および図７を用いて説明する。図６はエンドブラケットの平面図を示し、図７は、エンドブラケットの側面図を示す。
エンドブラケット２は、上述した枠体３の側面１０をガイドして位置決めする一対の保持壁１６と、保持壁１６に沿ってエンドブラケット２の内面側に向かって上述した枠体３の凸部１７を挿入させるための凹部１８と、上述した枠体３の爪１４を折り曲げるときに案内する溝部１９と、ブラシの一面に接触して枠の一部を形成する底面とを有する。
【００１４】
一対の保持壁１６の間隔は、枠体３の側面１０の外周面の幅とほぼ同じ幅を有し、枠体３を保持壁１６間に挿入する時にがたつかない程度に形成されている。実施例において凹部１８は、枠体３の凸部１７の形状に合わせた形状をしており、一方の側面１０に対して２ヶ所設けられている。このように凸部１７と凹部１８とが合わさったときに枠体３がエンドブラケット２の半径方向に移動してしまうのを規制している。
【００１５】
溝部１９の軸方向における幅は上記した爪１４の幅とほぼ同じ幅であって、上述した突起１５を含めた爪１４の幅であっては、わずかに溝部１９の幅が狭くなるように設けられている。溝部１９の溝の深さについては、枠体３を取り付けたときに枠体３が保持壁１６を抱え込むように保持し、この状態で枠体３がエンドブラケット２からはずれない程度の深さであれば良い。
【００１６】
このような構成により、枠体３をエンドブラケット２に取り付ける手順について説明する。
枠体３を保持壁１６の内面にスライド移動させ、凸部１７を凹部１８に挿入して位置決めする。次いで爪１４をエンドブラケット２の中心に向かうように折り曲げる。爪２は溝部１９に沿って保持壁１６を抱え込むように案内され、且つ突起１５により溝部１９の一部に食い込むように作用して枠体３がエンドブラケット２に固定される。
【００１７】
その後ブラシホルダー１内にスプリングを介してブラシを挿入し、周知の方法によりモータの組立が行われる。
尚、実施例においては、ブラシホルダー１を２組設けた構成で説明したが、この数に限定はない。
【００１８】
【発明の効果】
本発明のブラシホルダーは、金属製の枠体をはめ込んで爪を折り曲げるという簡便な方法によりエンドブラケットに貫通穴を設けることなく合成樹脂材料の部分のみに確実に取り付けすることができ、整流子とブラシとの接触により発生する熱からエンドブラケットが変形してしまうのを防止することができる。
【図面の簡単な説明】
【図１】  本発明によるブラシホルダーを示す平面図。
【図２】  本発明によるブラシホルダーを示す側面図。
【図３】  枠体を示す正面図。
【図４】  枠体を示す平面図。
【図５】  枠体を示す側面図。
【図６】  エンドブラケットを示す平面図。
【図７】  エンドブラケットを示す側面図。
【符号の説明】
１  ブラシホルダー
２  エンドブラケット
３  枠体
４  金属板
５  合成樹脂材料
６  ピン
７  電極
８  軸穴
９  外周面
１０  側面
１１  上面
１２  切り欠き
１３  前面
１４  爪
１５  突起
１６  保持壁
１７  凸部
１８  凹部
１９  溝部
２０  底面
【図１】
0003715768.tif 000002
【図２】
0003715768.tif 000003
【図３】
0003715768.tif 000004
【図４】
0003715768.tif 000005
【図５】
0003715768.tif 000006
【図６】
0003715768.tif 000007
【図７】
0003715768.tif 000008